【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
通信システム内でブロードキャストのファイルをダウンロードする方法であって、
アウトオブバンド通信セッションにおいてのみ、少なくとも１つのコンテンツファイルのファイル属性を受信することと、
インバンド通信セッションにおいてのみ、前記ファイル属性とは別に、前記ブロードキャストの前記少なくとも１つのコンテンツファイルを受信することと、
を備え、前記ファイル属性は、前記少なくとも１つのコンテンツファイルよりも先に受信され、および前記少なくとも１つのコンテンツファイルを再構築するために使用され、前記通信システムはインターネットプロトコル（ＩＰ）をサポートし、前記方法はさらに、
前記ファイル属性を、第１ポート番号を介して前記ＩＰのユーザデータグラムプロトコル（ＵＤＰ）を通して受信することと、
前記少なくとも１つのコンテンツファイルを、第２ポート番号を介して前記ＩＰの前記ＵＤＰを通して受信することと、
を備える、方法。
【請求項２】
第１通信チャネルを介して前記ファイル属性を受信することと、
前記少なくとも１つのコンテンツファイルを第２通信チャネルを介して受信することと、をさらに備える、請求項１に記載の方法。
【請求項３】
前記インバンド通信セッション内で、前記ブロードキャストのために複数のファイルを連続的に受信することと、前記インバンド通信セッションよりも前の前記アウトオブバンド通信セッション内で前記複数のファイルを処理するために、前記ファイル属性を受信することとをさらに備える、請求項１に記載の方法。
【請求項４】
前記少なくとも１つのコンテンツファイルは複数のデータパケットを含んでおり、前記方法はさらに、前記少なくとも１つのコンテンツファイルを処理するための、前記各データパケット内にファイル属性を受信しないことを備える、請求項１に記載の方法。
【請求項５】
前記インバンド通信セッションにおいて前記ブロードキャストの複数のファイルを受信することを備え、前記複数のファイルを処理するために前記複数のファイル間で共用される前記ファイル属性のいくつかを使用して、前記複数のファイルを処理することをさらに備える、請求項１に記載の方法。
【請求項６】
前記少なくとも１つのコンテンツファイルを所定の時間に表示できるようにするために、前記ブロードキャストの前記少なくとも１つのコンテンツファイルを表示するための前記ファイル属性の時間情報を提供することをさらに備える、請求項１に記載の方法。
【請求項７】
通信システムにおけるブロードキャストのファイル送達方法であって、前記方法は、
アウトオブバンド通信セッションにおいてのみ、少なくとも１つのコンテンツファイルのファイル属性を送信することと、
インバンド通信セッションにおいてのみ、前記ファイル属性とは別に前記ブロードキャストの前記少なくとも１つのコンテンツファイルを送信することと、
を備え、前記ファイル属性は、前記少なくとも１つのコンテンツファイルを再構築するために受信ノードによって使用される前記少なくとも１つのコンテンツファイルよりも先に送られ、前記通信システムはインターネットプロトコル（ＩＰ）をサポートし、前記方法はさらに、
前記ファイル属性を、第１ポート番号を介して、前記ＩＰのユーザデータグラムプロトコル（ＵＤＰ）を通して送信することと、
前記少なくとも１つのコンテンツファイルを、第２ポート番号を介して、前記ＩＰの前記ＵＤＰを通して送信することと、
を備える、方法。
【請求項８】
前記ファイル属性を第１通信チャネルを介して送信することと、
前記少なくとも１つのコンテンツファイルを第２通信チャネルを介して送信することと、をさらに備える、請求項７に記載の方法。
【請求項９】
前記インバンド通信セッションにおいて、前記ブロードキャスト用に複数のファイルを連続的に送信することと、前記インバンド通信セッションよりも前の前記アウトオブバンド通信セッションにおいて、前記複数のファイルを処理するために、前記ファイル属性を送信することとをさらに備える、請求項７に記載の方法。
【請求項１０】
前記少なくとも１つのコンテンツファイルは複数のデータパケットを含んでおり、前記方法は、前記少なくとも１つのコンテンツファイルを処理するために、前記各データパケット内にファイル属性を提供しないことをさらに備える、請求項７に記載の方法。
【請求項１１】
前記インバンド通信セッションにおいて前記ブロードキャストの複数のファイルを送信することをさらに備え、前記アウトオブバンド通信セッションにおいて前記複数のファイルを処理するために前記複数のファイル間で共用されている前記ファイル属性のいくつかを提供することをさらに備える、請求項７に記載の方法。
【請求項１２】
前記ブロードキャストの前記少なくとも１つのコンテンツファイルを表示するための、前記ファイル属性の時間情報をさらに備える、請求項７に記載の方法。
【請求項１３】
インターネットプロトコル（ＩＰ）をサポートする通信システム内でブロードキャストを受信するように構成された装置であって、前記装置は、
アウトオブバンド通信セッションにおいてのみ、少なくとも１つのコンテンツファイルのファイル属性を受信する手段と、
インバンド通信セッションにおいてのみ、前記ファイル属性とは別に、前記ブロードキャストの前記少なくとも１つのコンテンツファイルを受信する手段であって、前記ファイル属性は、前記少なくとも１つのコンテンツファイルよりも先に受信され、前記少なくとも１つのコンテンツファイルを再構築するために使用される、手段と、
第１ポート番号を介して、前記ＩＰのユーザデータグラムプロトコル（ＵＤＰ）を通して前記ファイル属性を受信する手段と、
第２ポート番号を介して、前記ＩＰの前記ＵＤＰを通して前記少なくとも１つのコンテンツファイルを受信する手段と、
を備える装置。
【請求項１４】
第１通信チャネルを介して前記ファイル属性を受信する手段と、
第２通信チャネルを介して前記少なくとも１つのコンテンツファイルを受信する手段と、
をさらに備える、請求項１３に記載の装置。
【請求項１５】
前記インバンド通信セッションにおいて前記ブロードキャスト用に複数のファイルを連続的に受信する手段と、前記インバンド通信セッションよりも前の前記アウトオブバンド通信セッションにおいて前記複数のファイルを処理するための、前記ファイル属性を受信する手段とをさらに備える、請求項１３に記載の装置。
【請求項１６】
前記少なくとも１つのコンテンツファイルは複数のデータパケットを含んでおり、前記各データパケットは、前記少なくとも１つのコンテンツファイルを処理するためのファイル属性を含んでいない、請求項１３に記載の装置。
【請求項１７】
前記インバンド通信セッションにおいて前記ブロードキャストの複数のファイルを受信する手段をさらに備え、前記複数のファイルを処理するために、前記複数のファイル間で共用されている前記ファイル属性のいくつかを使用して、前記複数のファイルを処理するための手段をさらに備える、請求項１３に記載の装置。
【請求項１８】
前記ファイル属性は、所定の時間に前記少なくとも１つのコンテンツファイルを表示できるようにするために、前記ブロードキャストの前記少なくとも１つのコンテンツファイルを表示するための時間情報を備えている、請求項１３に記載の装置。
【請求項１９】
インターネットプロトコル（ＩＰ）をサポートする通信システムにおいてブロードキャストのファイルを送達する装置であって、
アウトオブバンド通信セッションにおいてのみ、少なくとも１つのコンテンツファイルのファイル属性を送信する手段と、
インバンド通信セッションにおいてのみ、前記ファイル属性とは別に前記ブロードキャストの前記少なくとも１つのコンテンツファイルを送信する手段であって、前記ファイル属性は前記少なくとも１つのコンテンツファイルを再構築するために受信ノードによって使用される前記少なくとも１つのファイルよりも先に送信される、手段と、
第１ポート番号を介して、前記ＩＰのユーザデータグラムプロトコル（ＵＤＰ）を通して前記ファイル属性を送信する手段と、
第２ポート番号を介して、前記ＩＰの前記ＵＤＰを通して前記少なくとも１つのコンテンツファイルを送信する手段と、
を備える装置。
【請求項２０】
第１通信チャネルを介して前記ファイル属性を送信する手段と、
第２通信チャネルを介して前記少なくとも１つのコンテンツファイルを送信する手段と、
をさらに備える、請求項１９に記載の装置。
【請求項２１】
前記インバンド通信セッションにおいて前記ブロードキャスト用に複数のファイルを連続的に送信する手段と、前記インバンド通信セッションよりも前の前記アウトオブバンド通信セッションにおいて前記複数のファイルを処理するための、前記ファイル属性を送信する手段とをさらに備える、請求項１９に記載の装置。
【請求項２２】
前記少なくとも１つのコンテンツファイルは複数のデータパケットを含んでおり、前記装置は、前記少なくとも１つのコンテンツファイルを処理するための、前記各データパケット内にファイル属性を提供しない手段をさらに備えている、請求項１９に記載の装置。
【請求項２３】
前記インバンド通信セッションにおいて前記ブロードキャストの複数のファイルを送信する手段をさらに備え、前記アウトオブバンド通信セッションにおいて前記複数のファイルを処理するために前記複数のファイル間で共用されている前記ファイル属性のいくつかを提供する手段をさらに備える、請求項１９に記載の装置。
【請求項２４】
前記ファイル属性は、前記ブロードキャストの前記少なくとも１つのコンテンツファイルを表示するための時間情報を備えている、請求項１９に記載の装置。
【請求項２５】
インターネットプロトコル（ＩＰ）をサポートする通信システム内のブロードキャストにおいて使用される装置であって、前記装置は、
プロセッサと、
前記プロセッサに結合されたメモリユニットと
を備え、前記メモリユニットは、アウトオブバンド通信セッションにおいてのみ、前記ブロードキャストの少なくとも１つのコンテンツファイルのファイル属性を受信することと、インバンド通信セッションにおいてのみ、前記ファイル属性とは別に前記ブロードキャストの前記少なくとも１つのコンテンツファイルを受信することであって、前記ファイル属性は、前記少なくとも１つのコンテンツファイルよりも先に受信され、および前記少なくとも１つのコンテンツファイルを再構築するために使用される、受信することと、第１ポート番号を介して、前記ＩＰのユーザデータグラムプロトコル（ＵＤＰ）を通して前記ファイル属性を受信することと、第２ポート番号を介して、前記ＩＰの前記ＵＤＰを通して前記少なくとも１つのコンテンツファイルを受信することと、を行うためのプロセッサ実行可能な命令を含む、装置。
【請求項２６】
前記メモリユニットは、第１通信チャネルを介して前記ファイル属性を受信し、及び前記少なくとも１つのコンテンツファイルを第２通信チャネルを介して受信するための、プロセッサ実行可能な命令をさらに備える、請求項２５に記載の装置。
【請求項２７】
前記メモリユニットは、前記インバンド通信セッションにおいて前記ブロードキャスト用に複数のファイルを連続的に受信するための、及び前記インバンド通信セッションよりも前の前記アウトオブバンド通信セッションにおいて前記複数のファイルを処理するための、前記ファイル属性を受信するためのプロセッサ実行可能な命令をさらに備える、請求項２５に記載の装置。
【請求項２８】
前記少なくとも１つのコンテンツファイルは複数のデータパケットを含み、前記データパケットのそれぞれは、前記少なくとも１つのコンテンツファイルを処理するためのファイル属性を含んでいない、請求項２５に記載の装置。
【請求項２９】
前記メモリユニットは、前記インバンド通信セッションにおいて前記ブロードキャストの複数のファイルを受信し、及び前記複数のファイルを処理するために前記複数のファイル間で共用されている前記ファイル属性のいくつかを使用して前記複数のファイルを処理するための、プロセッサ実行可能な命令をさらに備える、請求項２５に記載の装置。
【請求項３０】
前記ファイル属性は、所定の時間に前記少なくとも１つのコンテンツファイルを表示できるようにするために、前記ブロードキャストの前記少なくとも１つのコンテンツファイルを表示するための時間情報を備える、請求項２５に記載の装置。
【請求項３１】
インターネットプロトコル（ＩＰ）をサポートする通信システムにおいてブロードキャストのファイルを送達する装置であって、前記装置は、
プロセッサと、
前記プロセッサに結合されたメモリユニットと
を備え、前記メモリユニットは、アウトオブバンド通信セッションにおいてのみ前記ブロードキャストの少なくとも１つのコンテンツファイルのファイル属性を送信することと、インバンド通信セッションにおいてのみ前記ブロードキャストの前記少なくとも１つのコンテンツファイルを前記ファイル属性とは別に送信することであって、前記ファイル属性は、前記少なくとも１つのコンテンツファイルよりも先に送信され、前記少なくとも１つのコンテンツファイルを再構築するために使用される、送信することと、第１ポート番号を介して、前記ＩＰのユーザデータグラムプロトコル（ＵＤＰ）を通して前記ファイル属性を送信することと、第２ポート番号を介して、前記ＩＰの前記ＵＤＰを通して前記少なくとも１つのコンテンツファイルを送信することと、を行うためのプロセッサ実行可能な命令を含む、装置。
【請求項３２】
前記メモリユニットは、前記ファイル属性を第１通信チャネルを介して送信し、及び前記少なくとも１つのコンテンツファイルを第２通信チャネルを介して送信するための、プロセッサ実行可能な命令とをさらに備える、請求項３１に記載の装置。
【請求項３３】
前記メモリユニットは、前記ＩＰの前記ＵＤＰと結合した前記ＩＰの１方向移送上でのファイル送達（ＦＬＵＴＥ）を通して前記少なくとも１つのコンテンツファイルを送信するためのプロセッサ実行可能な命令をさらに備える、請求項３１に記載の装置。
【請求項３４】
前記メモリユニットは、前記インバンド通信セッションにおいて前記ブロードキャスト用に複数のファイルを連続的に送信し、前記インバンド通信セッションよりも前の前記アウトオブバンド通信セッションにおいて前記複数のファイルを処理するための前記ファイル属性を送信するための、プロセッサ実行可能な命令をさらに備える、請求項３１に記載の装置。
【請求項３５】
前記少なくとも１つのコンテンツファイルは複数のデータパケットを含み、前記データパケットのそれぞれは、前記少なくとも１つのコンテンツファイルを処理するためのファイル属性を含まない、請求項３１に記載の装置。
【請求項３６】
前記メモリユニットは、前記インバンド通信セッションにおいて前記ブロードキャストの複数のファイルを送信し、前記アウトオブバンド通信セッションにおいて前記複数のファイルを処理するために、前記複数のファイル間で共用されている前記ファイル属性のいくつかを提供するための、プロセッサ実行可能な命令をさらに備える、請求項３１に記載の装置。
【請求項３７】
前記ファイル属性は、前記ブロードキャストの前記少なくとも１つのコンテンツファイルを表示するための時間情報を備える、請求項３１に記載の装置。
【請求項３８】
符号化されたコンピュータ実行可能な命令を含む非一時的なコンピュータ読み出し可能な記憶媒体であって、前記命令は、
インターネットプロトコル（ＩＰ）をサポートする通信システムにおけるブロードキャストのアウトオブバンド通信セッションにおいてのみ、少なくとも１つのコンテンツファイルのコンテンツを処理するためのファイル属性を受信し、
インバンド通信セッションにおいてのみ、前記ファイル属性とは別に、ブロードキャストの前記少なくとも１つのコンテンツファイルを受信し、前記ファイル属性は前記少なくとも１つのファイルよりも先に受信され、前記少なくとも１つのファイルを再構築するために使用される、
第１ポート番号を介して、前記ＩＰのユーザデータグラムプログラム（ＵＤＰ）を通して前記ファイル属性を受信し
第２ポート番号を介して、前記ＩＰの前記ＵＤＰを通して前記少なくとも１つのファイルを受信する
ためのものである、非一時的なコンピュータ読み出し可能な記憶媒体。
【請求項３９】
第１通信チャネルを介して前記ファイル属性を受信し、
第２通信チャネルを介して前記少なくとも１つのコンテンツファイルを受信する
ための符号化されたコンピュータ実行可能な命令をさらに備える、請求項３８に記載の非一時的なコンピュータ読み出し可能な記憶媒体。
【請求項４０】
符号化されたコンピュータ実行可能な命令を含む非一時的なコンピュータ読み出し可能な記憶媒体であって、前記命令は、
インターネットプロトコル（ＩＰ）をサポートする通信システムにおけるブロードキャストのアウトオブバンド通信セッションにおいてのみ、少なくとも１つのファイルのファイル属性を送信し、
インバンド通信セッションにおいてのみ、前記ファイル属性とは別に、ブロードキャストの前記少なくとも１つのコンテンツファイルを送信し、前記ファイル属性は、前記少なくとも１つのファイルよりも先に送信され、前記少なくとも１つのコンテンツファイルを再構築するために受信ノードによって使用される、
第１ポート番号を介して、前記ＩＰのユーザデータグラムプロトコル（ＵＤＰ）を通して前記ファイル属性を送信し、
第２ポート番号を介して、前記ＩＰの前記ＵＤＰを通して前記少なくとも１つのコンテンツファイルを送信する
ためのものである、非一時的なコンピュータ読み出し可能な記憶媒体。
【請求項４１】
第１通信チャネルを介して前記ファイル属性を送信し、
第２通信チャネルを介して前記少なくとも１つのコンテンツファイルを送信する
ための、コンピュータ実行可能な命令をさらに含む、請求項４０に記載の非一時的なコンピュータ読み出し可能な記憶媒体。
【手続補正２】
【補正対象書類名】明細書
【補正対象項目名】００７８
【補正方法】変更
【補正の内容】
【００７８】
最後に、この実施形態で説明したように、ノード、即ちＢＳＤ４８は、サービスプロバイダのネットワーク４２にインストールされたものとして記述されている。しかし、常にこの限りでなくてもよい。ＢＳＤ４８を、サービスプロバイダが所有しているものではない別のネットワークにインストールすることも可能である。さらに、例証的な実施形態で説明したアウトオブバンド伝送チャネルを、拡散スペクトル通信の技術において一般的に実施されるように論理的または物理的に区別することができる。これに加え、多種のアウトオブバンドセッションを、前述した時間分離ではなく異なるポート番号によって識別することもできる。そのため、例えば図５では、ＦＤＴを、第１送信セッションに関連した１つの宛先ポートを介して、層４のＵＤＰ（図３）上で伝送できる。また、第２伝送セッション中に、コンテンツファイルを、別の宛先ポート番号を介し、層４のＵＤＰ上で伝送することが可能である。これに加え、図７、図８のフローチャートが、音楽ファイルのようなファイルをユーザの選択でダウンロードおよび実行するためにも適用できる点を明白にしておくべきである。例えば、ユーザはＳＧからファイルを拾い集め、自分のファイル配信ウィンドウおよびファイル表示ウィンドウ上で決定を行うことができる。さらに、例証的な実施形態では、バックボーンネットワークはＩＰの下で動作されると説明している。ＩＰ以外のプロトコルの使用も可能である。例えば、ＦＬＯネットワークでは、ＦＬＯフォーラム（ＦＬＯ  Ｆｏｒｕｍ）が発行したｆｌｏｆｏｒｕｍ２００５．００１の文書「ＦＬＯエアーインターフェース仕様書（FLO Air Interface Specification）」によるプロトコルの適用が可能である。ＦＬＯネットワークでは、ＳＧではなく、関連する属性をシステム情報（ＳＩ）に入れることができる。これについての詳細は、ＦＬＯ  Ｆｏｒｕｍが発行した文書ｆｌｏｆｏｒｕｍ２００６．００５を参照できる。これに加え、本発明に関連して説明した論理ブロック、回路、アルゴリズムステップを、ハードウェア、ソフトウェア、ファームウェア内、あるいはこれらの組み合わせにおいて実現することができる。当業者は、本発明の範囲と精神から逸脱しない限り、形態および詳細に、ここで説明した変更やその他の変更を加えられることを理解するだろう。
以下に、本願出願の当初の特許請求の範囲に記載された発明を付記する。
［Ｃ１］
通信システム内でブロードキャストのファイルをダウンロードする方法であって、
第１通信セッションにおいて、前記ブロードキャストの少なくとも１つのファイルを処理するためにファイル属性を受信することと、
第２通信セッションにおいて、前記ファイル属性とは別に、前記ブロードキャストの前記少なくとも１つのファイルを受信することと、
を備える方法。
［Ｃ２］
第１通信チャネルを介して前記ファイル属性を受信することと、
前記少なくとも１つのファイルを第２通信チャネルを介して受信することと、を備える、Ｃ１に記載の方法。
［Ｃ３］
前記通信システムはインターネットプロトコル（ＩＰ）をサポートし、前記方法はさらに、
前記ファイル属性を、第１ポート番号によって前記ＩＰのユーザデータグラムプロトコル（ＵＤＰ）を通して受信することと、
前記少なくとも１つのファイルを、第２ポート番号によって前記ＩＰの前記ＵＤＰを通して受信することと、
を備える、Ｃ１に記載の方法。
［Ｃ４］
前記第２通信セッション内で、前記ブロードキャストのために複数のファイルを連続的に受信することと、前記第２通信セッションよりも前の前記第１通信セッション内で前記複数のファイルを処理するために、前記ファイル属性を受信することとをさらに備える、Ｃ１に記載の方法。
［Ｃ５］
前記少なくとも１つのファイルは複数のデータパケットを含んでおり、前記方法はさらに、前記少なくとも１つのファイルを処理するための、前記各データパケット内にファイル属性を受信しないことを備える、Ｃ１に記載の方法。
［Ｃ６］
前記第２通信セッションにおいて前記ブロードキャストの複数のファイルを受信することを備え、前記複数のファイルを処理するために前記複数のファイル間で共用される前記ファイル属性のいくつかを使用して、前記複数のファイルを処理することをさらに備える、Ｃ１に記載の方法。
［Ｃ７］
前記少なくとも１つのファイルを所定の時間に表示できるようにするために、前記ブロードキャストの前記少なくとも１つのファイルを表示するための前記ファイル属性時間情報を提供することをさらに備える、Ｃ１に記載の方法。
［Ｃ８］
通信システムにおけるブロードキャストのファイル送達方法であって、前記方法は、
第１通信セッションにおいて、前記ブロードキャストの少なくとも１つのファイルを表示するためのファイル属性を送信することと、
第２通信セッションにおいて、前記ファイル属性とは別に前記ブロードキャストの前記少なくとも１つのファイルを送信することと、
を備える方法。
［Ｃ９］
前記ファイル属性を第１通信チャネルを介して送信することと、
前記少なくとも１つのファイルを第２通信チャネルを介して送信することと、をさらに備える、Ｃ８に記載の方法。
［Ｃ１０］
前記通信システムはインターネットプロトコル（ＩＰ）をサポートし、前記方法はさらに、
前記ファイル属性を、第１ポート番号を介し、前記ＩＰのユーザデータグラムプロトコル（ＵＤＰ）を通して送信することと、
前記少なくとも１つのファイルを、第２ポート番号を介し、前記ＩＰの前記ＵＤＰを通して送信することと、
を備える、Ｃ８に記載の方法。
［Ｃ１１］
前記第２通信セッションにおいて、前記ブロードキャスト用に複数のファイルを連続して送信することと、前記第２通信セッションよりも前の前記第１通信セッションにおいて、前記複数のファイルを処理するために、前記ファイル属性を送信することとをさらに備える、Ｃ８に記載の方法。
［Ｃ１２］
前記少なくとも１つのファイルは複数のデータパケットを含んでおり、前記方法は、前記少なくとも１つのファイルを処理するために、前記各データパケット内にファイル属性を提供しないことをさらに備える、Ｃ８に記載の方法。
［Ｃ１３］
さらに、前記第２通信セッションにおいて前記ブロードキャストの複数のファイルを送信することと、またさらに、前記第１通信セッションにおいて前記複数のファイルを処理するために前記複数のファイル間で共用されている前記ファイル属性のいくつかを提供することとを備える、Ｃ８に記載の方法。
［Ｃ１４］
前記ブロードキャストの前記少なくとも１つのファイルを表示するための、前記ファイル属性時間情報をさらに備える、Ｃ８に記載の方法。
［Ｃ１５］
通信システム内でブロードキャストを受信するように構成された装置であって、前記装置は、
第１通信セッションにおいて、前記ブロードキャストの少なくとも１つのファイルを処理するためにファイル属性を受信する手段と、
第２通信セッションにおいて、前記ファイル属性とは別に、前記ブロードキャストの前記少なくとも１つのファイルを受信する手段と、
を備える装置。
［Ｃ１６］
第１通信チャネルを介して前記ファイル属性を受信する手段と、
第２通信チャネルを介して前記少なくとも１つのファイルを受信する手段と、をさらに備える、Ｃ１５に記載の装置。
［Ｃ１７］
前記通信システムはインターネットプロトコル（ＩＰ）をサポートし、前記装置はさらに、
第１ポート番号を介し、前記ＩＰのユーザデータグラムプロトコル（ＵＤＰ）を通して前記ファイル属性を受信する手段と、
第２ポート番号を介し、前記ＩＰの前記ＵＤＰを通して前記少なくとも１つのファイルを受信する手段と、
を備える、Ｃ１５に記載の装置。
［Ｃ１８］
前記第２通信セッションにおいて前記ブロードキャスト用に複数のファイルを連続的に受信する手段と、前記第２通信セッションよりも前の前記第１通信セッションにおいて前記複数のファイルを処理するための、前記ファイル属性を受信する手段とをさらに備える、Ｃ１５に記載の装置。
［Ｃ１９］
前記少なくとも１つのファイルは複数のデータパケットを含んでおり、前記各データパケットは、前記少なくとも１つのファイルを処理するためのファイル属性を含んでいない、Ｃ１５に記載の装置。
［Ｃ２０］
前記第２通信セッションにおいて前記ブロードキャストの複数のファイルを受信する手段をさらに備え、前記複数のファイルを処理するために、前記複数のファイル間で共用されている前記ファイル属性のいくつかを使用して、前記複数のファイルを処理するための手段をさらに備える、Ｃ１５に記載の装置。
［Ｃ２１］
前記ファイル属性は、所定の時間に前記少なくとも１つのファイルを表示できるようにするために、前記ブロードキャストの前記少なくとも１つのファイルを表示するための時間情報を備えている、Ｃ１５に記載の装置。
［Ｃ２２］
通信システムにおいてブロードキャストのファイルを送達する装置であって、
第１通信セッションにおいて、前記ブロードキャストの少なくとも１つのファイルを処理するためにファイル属性を送信する手段と、
第２通信セッションにおいて、前記ファイル属性とは別に前記ブロードキャストの前記少なくとも１つのファイルを送信する手段と、
を備える装置。
［Ｃ２３］
第１通信チャネルを介して前記ファイル属性を送信する手段と、
第２通信チャネルを介して前記少なくとも１つのファイルを送信する手段と、をさらに備える、Ｃ２２に記載の装置。
［Ｃ２４］
前記通信システムはインターネットプロトコル（ＩＰ）をサポートし、前記装置はさらに、
第１ポート番号を介し、前記ＩＰのユーザデータグラムプロトコル（ＵＤＰ）を通して前記ファイル属性を送信する手段と、
第２ポート番号を介し、前記ＩＰの前記ＵＤＰを通して前記少なくとも１つのファイルを送信する手段と、
を備える、Ｃ２２に記載の装置。
［Ｃ２５］
前記第２通信セッションにおいて前記ブロードキャスト用に複数のファイルを連続的に送信する手段と、前記第２通信セッションよりも前の前記第１通信セッションにおいて前記複数のファイルを処理するための、前記ファイル属性を送信する手段とをさらに備える、Ｃ２２に記載の装置。
［Ｃ２６］
前記少なくとも１つのファイルは複数のデータパケットを含んでおり、前記装置は、前記少なくとも１つのファイルを処理するための、前記各データパケット内にファイル属性を提供しない手段をさらに備えている、Ｃ２２に記載の装置。
［Ｃ２７］
前記第２通信セッションにおいて前記ブロードキャストの複数のファイルを送信する手段をさらに備え、前記第１通信セッションにおいて前記複数のファイルを処理するために前記複数のファイル間で共用されている前記ファイル属性のいくつかを提供する手段をさらに備える、Ｃ２２に記載の装置。
［Ｃ２８］
前記ファイル属性は、前記ブロードキャストの前記少なくとも１つのファイルを表示するための時間情報を備えている、Ｃ２２に記載の装置。
［Ｃ２９］
通信システム内のブロードキャストにおいて使用される装置であって、前記装置は、  プロセッサと、
前記プロセッサに結合したメモリユニットとを備え、前記メモリユニットは、第１通信セッションにおいて前記ブロードキャストの少なくとも１つのファイルを処理するためのファイル属性を受信するための、及び第２通信セッションにおいて、前記ファイル属性とは別に前記ブロードキャストの前記少なくとも１つのファイルを受信するための、コンピュータ読み出し可能な命令とを含む装置。
［Ｃ３０］
前記メモリユニットは、前記第１通信チャネルを介して前記ファイル属性を受信するための、及び前記少なくとも１つのファイルを第２通信チャネルを介して受信するための、コンピュータ読み出し可能な命令とをさらに備える、Ｃ２９に記載の装置。
［Ｃ３１］
前記通信システムは、インターネットプロトコル（ＩＰ）をサポートし、前記メモリユニットはさらに、第１ポート番号を介し、前記ＩＰのユーザデータグラムプロトコル（ＵＤＰ）を通して前記ファイル属性を受信するための、及び第２ポート番号を介して、前記ＩＰの前記ＵＤＰを通して前記少なくとも１つのファイルを受信するための、コンピュータ読み出し可能な命令とを備える、Ｃ２９に記載の装置。
［Ｃ３２］
前記メモリユニットはさらに、前記第２通信セッションにおいて前記ブロードキャスト
用に複数のファイルを連続的に受信するための、及び前記第２通信セッションよりも前の前記第１通信セッションにおいて前記複数のファイルを処理するための、前記ファイル属性を受信するためのコンピュータ読み出し可能な命令とを備える、Ｃ２９に記載の装置。
［Ｃ３３］
前記少なくとも１つのファイルは複数のデータパケットを含み、前記データパケットのそれぞれは、前記少なくとも１つのファイルを処理するためのファイル属性を含んでいない、Ｃ２９に記載の装置。
［Ｃ３４］
前記メモリユニットはさらに、前記第２通信セッションにおいて前記ブロードキャストの複数のファイルを受信するための、及び前記複数のファイルを処理するために前記複数のファイル間で共用されている前記ファイル属性のいくつかを使用して前記複数のファイルを処理するための、コンピュータ読み出し可能な命令とを備える、Ｃ２９に記載の装置。
［Ｃ３５］
前記ファイル属性は、所定の時間に前記少なくとも１つのファイルを表示できるようにするために、前記ブロードキャストの前記少なくとも１つのファイルを表示するための時間情報を備える、Ｃ２９に記載の装置。
［Ｃ３６］
通信システムにおいてブロードキャストのファイルを送達する装置であって、前記装置は、
プロセッサと、
前記プロセッサに結合されたメモリユニットとを備え、前記メモリユニットは、第１通信セッションにおいて前記ブロードキャストの少なくとも１つのファイルを処理するためのファイル属性を送信するための、及び第２通信セッションにおいて前記ブロードキャストの前記少なくとも１つのファイルを前記ファイル属性とは別に送信するための、コンピュータ読み出し可能な命令と、
を備える装置。
［Ｃ３７］
前記メモリユニットはさらに、前記ファイル属性を第１通信チャネルを介して送信するための、及び前記少なくとも１つのファイルを第２通信チャネルを介して送信するための、コンピュータ読み出し可能な命令とを備える、Ｃ３６に記載の装置。
［Ｃ３８］
前記通信システムはインターネットプロトコル（ＩＰ）をサポートし、前記メモリユニットはさらに、第１ポート番号を介し、前記ＩＰのユーザデータグラムプロトコル（ＵＤＰ）を通して前記ファイル属性を、送信するための、及び第２ポート番号を介して、前記ＩＰの前記ＵＤＰを通して前記少なくとも１つのファイルを送信するための、コンピュータ読み出し可能な命令とを備える、Ｃ３６に記載の装置。
［Ｃ３９］
前記メモリユニットは、前記ＩＰの前記ＵＤＰと結合した前記ＩＰの１方向移送上でのファイル送達（ＦＬＵＴＥ）とを通して少なくとも１つのファイルを送信するためのコンピュータ読み出し可能な命令をさらに備える、Ｃ３６に記載の装置。
［Ｃ４０］
前記メモリユニットは、前記第２通信セッションにおいて前記ブロードキャスト用に複数のファイルを連続的に送信するための、前記第２通信セッションよりも前の前記第１通信セッションにおいて前記複数のファイルを処理するための前記ファイル属性を送信するための、コンピュータ読み出し可能な命令とをさらに備える、Ｃ３６に記載の装置。
［Ｃ４１］
前記少なくとも１つのファイルは複数のデータパケットを含み、前記データパケットのそれぞれは、前記少なくとも１つのファイルを処理するためのファイル属性を含まない、Ｃ３６に記載の装置。
［Ｃ４２］
前記メモリユニットは、前記第２通信セッションにおいて前記ブロードキャストの複数のファイルを送信するための、前記第１通信セッションにおいて前記複数のファイルを処理するために、前記複数のファイル間で共用されている前記ファイル属性のいくつかを提供するための、コンピュータ読み出し可能な命令とをさらに備える、Ｃ３６に記載の装置。
［Ｃ４３］
前記ファイル属性は、前記ブロードキャストの前記少なくとも１つのファイルを表示するための時間情報を備える、Ｃ３６に記載の装置。
［Ｃ４４］
コンピュータ読み出し可能な命令を含んだコンピュータ読み出し可能な媒体であって、前記命令は、
第１通信セッションにおいてブロードキャストの少なくとも１つのファイルを処理するためのファイル属性を受信する命令と、
第２通信セッションにおいて、前記ファイル属性とは別に、前記ブロードキャストの前記少なくとも１つのファイルを受信する命令と、
であるコンピュータ読み出し可能な媒体。
［Ｃ４５］
第１通信チャネルを介して前記ファイル属性を受信するための、及び第２通信チャネルを介して前記少なくとも１つのファイルを受信するための、コンピュータ読み出し可能な命令をさらに備える、Ｃ４４に記載のコンピュータ読み出し可能な媒体。
［Ｃ４６］
前記通信システムはインターネットプロトコル（ＩＰ）をサポートし、前記コンピュータ読み出し可能な媒体は、
第１ポート番号を介して、前記ＩＰのユーザデータグラムプログラム（ＵＤＰ）を通して前記ファイル属性を受信するための、及び第２ポート番号を介して、前記ＩＰの前記ＵＤＰを通して前記少なくとも１つのファイルを受信するための、コンピュータ読み出し可能な命令
をさらに備える、Ｃ４４に記載のコンピュータ読み出し媒体。
［Ｃ４７］
第１通信セッションにおいて、ブロードキャストの少なくとも１つのファイルを処理するためのファイル属性を送信するための、及び第２通信セッションにおいて、前記ファイル属性とは別に、前記ブロードキャストの前記少なくとも１つのファイルを送信するための、コンピュータ読み出し可能な命令を含んだコンピュータ読み出し可能な媒体。
［Ｃ４８］
第１通信チャネルを介して前記ファイル属性を送信するための、及び第２通信チャネルを介して前記少なくとも１つのファイルを送信するための、コンピュータ読み出し可能な命令をさらに含む、Ｃ４７に記載のコンピュータ読み出し可能な媒体。
［Ｃ４９］
第１ポート番号を介して、前記ＩＰのユーザデータグラムプロトコル（ＵＤＰ）を通して前記ファイル属性を送信するための、及び第２ポート番号を介して、前記ＩＰの前記ＵＤＰを通して前記少なくとも１つのファイルを送信するための、コンピュータ読み出し可能な命令をさらに含む、Ｃ４７に記載のコンピュータ読み出し可能な媒体。